(57)【要約】【課題】本発明は、車両の周囲に伝わる騒音を低減させることが可能なヒートインシュレータの取付構造を提供する。【解決手段】ヒートインシュレータの取付構造１は、車体の水平下面１１ａよりも上方に上半面が位置するように配置された排気管１２と、車体の水平下面１１ａよりも上方において、排気管１２の上面を覆う第１遮蔽部１３１と、排気管１２の外周方向における第１遮蔽部１３１の両端から、車体の水平下面１１ａよりも下方に延びる一対の第２遮蔽部１３２とを備える。【選択図】図１
2010264893.tif 000002
【特許請求の範囲】
【請求項１】
車体の下面よりも上方に少なくとも一部が位置するように配置された排気管と、
前記車体の下面よりも上方において、前記排気管の上面を覆う第１遮蔽部と、
前記排気管の外周方向における当該第１遮蔽部の両端から、前記車体の下面よりも下方に延びる一対の第２遮蔽部と、
を備えるヒートインシュレータの取付構造。
【請求項２】
前記第１遮蔽部及び／又は前記第２遮蔽部は、前記排気管に対向する多孔板を備えている、
請求項１に記載のヒートインシュレータの取付構造。
【請求項３】
前記多孔板から見て前記排気管とは逆側における、当該多孔板の貫通孔が開口する空間が、密閉されている、
請求項２に記載のヒートインシュレータの取付構造。
【請求項４】
前記多孔板から見て前記排気管とは逆側における、当該多孔板の貫通孔が開口する空間が、複数の密閉空間となるように構成され、
当該複数の密閉空間の、前記多孔板に直交する方向における幅が、互いに異なる、
請求項２に記載のヒートインシュレータの取付構造。
【請求項５】
前記多孔板から見て前記排気管とは逆側における、当該多孔板の貫通孔が開口する空間が、複数の密閉空間となるように構成され、
当該複数の密閉空間の各密閉空間に開口する前記貫通孔の数及び／又は当該貫通孔の径が、互いに異なる、
請求項２に記載のヒートインシュレータの取付構造。
【請求項６】
前記第１遮蔽部及び前記第２遮蔽部は、前記排気管に対向する内側板状部材と、当該内側板状部材に対向するように当該内側板状部材から見て前記排気管とは逆側に配置された外側板状部材とを備え、
当該内側板状部材と当該外側板状部材との間の空間が密閉されており、
前記一対の第２遮蔽部は、前記第１遮蔽部の両端部から、互いに近づくように斜め下方に延出しており、
前記第１遮蔽部においては、前記内側板状部材に複数の貫通孔が形成されており、
当該第２遮蔽部においては、前記外側板状部材に複数の貫通孔が形成されている、
請求項１に記載のヒートインシュレータの取付構造。
【請求項７】
前記車体の下面は、上方に盛り上がって窪み部を形成する屈曲下面を備え、
前記排気管は、前記窪み部内に少なくとも一部が配置され、
前記第１遮蔽部は、前記屈曲下面と前記排気管との間に配置され、
前記第２遮蔽部は、前記排気管の外周方向における前記第１遮蔽部の両端から、それぞれ前記窪み部の下方に延びており、
当該第１遮蔽部及び当該第２遮蔽部は、１枚の多孔板からなり、
前記屈曲下面と前記多孔板との間の空間が、密閉されている、
請求項１に記載のヒートインシュレータの取付構造。
【請求項８】
前記第２遮蔽部の下端が、前記排気管の下端と同じ高さ、又は、前記排気管の下端よりも上方に位置する、
請求項１〜７のいずれか一項に記載のヒートインシュレータの取付構造。
【請求項９】
前記一対の第２遮蔽部の間隔が前記排気管の外径以上である、
請求項１〜８のいずれか一項に記載のヒートインシュレータの取付構造。
【発明の詳細な説明】
【技術分野】
【０００１】
本発明は、排気管から車体に伝わる熱を遮断するためのヒートインシュレータの取付構造に関する。
【背景技術】
【０００２】
従来、ヒートインシュレータの取付構造として、特許文献１及び特許文献２に記載のものが知られている。
これらのヒートインシュレータの取付構造を有する車両は、車両本体（以下、車体という）の下面において上方に盛り上がるように形成された窪み部と、当該窪み部の下方に配置された排気管とを備えている。当該車両に対して、円弧状に湾曲するとともに複数の孔が形成された湾曲部と、当該湾曲部の周方向両端から径方向外側に延びる平板部とを備える遮熱板が取り付けられている。具体的には、湾曲部は、窪み部を形成する湾曲下面と排気管との中間に当該排気管の外周に沿うように配置されている。そして、当該湾曲部の両端から延びる一対の平板部がボルトで車体の下面に固定されている。
この構成によると、車体と遮熱板との間に空気層を設けることでヘルムホルツ構造が形成されるので、遮熱機能だけでなく、吸音機能を発揮することができる。
【先行技術文献】
【特許文献】
【０００３】
【特許文献１】特開平９−３２５４５号公報
【特許文献２】特開２０００−１９０７４４号公報
【発明の概要】
【発明が解決しようとする課題】
【０００４】
しかしながら、特許文献１及び特許文献２に記載されたヒートインシュレータの取付構造では、排気管から車体の湾曲下面に向かって放出される騒音成分をヘルムホルツ構造により低減することが可能であるものの、車両の周囲に伝わる騒音の低減効果は十分とは言えず、更なる騒音の低減が要求されている。
【０００５】
本発明は、上記実情に鑑みることにより、車両の周囲に伝わる騒音を低減させることが可能なヒートインシュレータの取付構造を提供することを目的とする。
【課題を解決するための手段】
【０００６】
本発明に係るヒートインシュレータの取付構造における第１の特徴は、車体の下面よりも上方に少なくとも一部が位置するように配置された排気管と、前記車体の下面よりも上方において、前記排気管の上面を覆う第１遮蔽部と、前記排気管の外周方向における当該第１遮蔽部の両端から、前記車体の下面よりも下方に延びる一対の第２遮蔽部と、を備えることである。
【０００７】
この構成によると、第１遮蔽部により、排気管から車体側への熱伝達を抑制することができる。
更に、車体の下面よりも下方に延出する第２遮蔽部により、排気管から発生する騒音が車体の下面と地面との間の空間を通って、直接又は少ない反射回数で車体の幅方向外側に放出されることを抑制することができる。
これにより、車両の周囲に伝わる騒音を、簡易な構成で、効果的に低減させることが可能である。
【０００８】
また、本発明に係るヒートインシュレータの取付構造における第２の特徴は、前記第１遮蔽部及び／又は前記第２遮蔽部は、前記排気管に対向する多孔板を備えていることである。
【０００９】
この構成によると、排気管に多孔板が対向しているため、排気管から発生する騒音の吸収効果を高めることができる。
【００１０】
また、本発明に係るヒートインシュレータの取付構造における第３の特徴は、前記多孔板から見て前記排気管とは逆側における、当該多孔板の貫通孔が開口する空間が、密閉されていることである。
【００１１】
この構成によると、多孔板とその背後の密閉された空気層とからなるヘルムホルツの吸音構造の吸音効果を得ることができる。即ち、多孔板の開口率や、背後空気層の厚さなどを調整することで、所望の周波数での吸音効果を高めることが可能になる。これにより、排気管から発生する騒音の周波数特性を考慮して、より効果的に吸音効果を発揮させることができる。
【００１２】
また、本発明に係るヒートインシュレータの取付構造における第４の特徴は、前記多孔板から見て前記排気管とは逆側における、当該多孔板の貫通孔が開口する空間が、複数の密閉空間となるように構成され、当該複数の密閉空間の、前記多孔板に直交する方向における幅が、互いに異なることである。
【００１３】
この構成によると、複数の特定周波数の騒音に対して特に高い吸音効果を発揮することができ、より広い周波数帯域で高い吸音効果を発揮することができる。
【００１４】
また、本発明に係るヒートインシュレータの取付構造における第５の特徴は、前記多孔板から見て前記排気管とは逆側における、当該多孔板の貫通孔が開口する空間が、複数の密閉空間となるように構成され、当該複数の密閉空間の各密閉空間に開口する前記貫通孔の数及び／又は当該貫通孔の径が、互いに異なることである。
【００１５】
この構成によると、複数の特定周波数の騒音に対して特に高い吸音効果を発揮することができ、より広い周波数帯域で高い吸音効果を発揮することができる。
【００１６】
また、本発明に係るヒートインシュレータの取付構造における第６の特徴は、前記第１遮蔽部及び前記第２遮蔽部は、前記排気管に対向する内側板状部材と、当該内側板状部材に対向するように当該内側板状部材から見て前記排気管とは逆側に配置された外側板状部材とを備え、当該内側板状部材と当該外側板状部材との間の空間が密閉されており、前記一対の第２遮蔽部は、前記第１遮蔽部の両端部から、互いに近づくように斜め下方に延出しており、前記第１遮蔽部においては、前記内側板状部材に複数の貫通孔が形成されており、当該第２遮蔽部においては、前記外側板状部材に複数の貫通孔が形成されていることである。
【００１７】
この構成によると、排気管から放出されて地面で反射した音を、複数の貫通孔が形成された第２遮蔽部の外側板状部材で受けることができるため、より効果的に排気管からの騒音を吸収することができる。
【００１８】
また、本発明に係るヒートインシュレータの取付構造における第７の特徴は、前記車体の下面は、上方に盛り上がって窪み部を形成する屈曲下面を備え、前記排気管は、前記窪み部内に少なくとも一部が配置され、前記第１遮蔽部は、前記屈曲下面と前記排気管との間に配置され、前記第２遮蔽部は、前記排気管の外周方向における前記第１遮蔽部の両端から、それぞれ前記窪み部の下方に延びており、当該第１遮蔽部及び当該第２遮蔽部は、１枚の多孔板からなり、前記屈曲下面と前記多孔板との間の空間が、密閉されていることである。
【００１９】
この構成によると、車体の屈曲下面と多孔板との間の空間全体を有効に活用することができ、ヒートインシュレータの取付構造をよりコンパクトに形成することができる。
【００２０】
また、本発明に係るヒートインシュレータの取付構造における第８の特徴は、前記第２遮蔽部の下端が、前記排気管の下端と同じ高さ、又は、前記排気管の下端よりも上方に位置することである。
【００２１】
この構成によると、車高（地面から車体の最下部までの高さ）が過度に低くなることを防止できる。
【００２２】
また、本発明に係るヒートインシュレータの取付構造における第９の特徴は、前記一対の第２遮蔽部の間隔が前記排気管の外径以上であることである。
【００２３】
この構成によると、一対の第２遮蔽部の間隔が排気管の外径よりも大きいので、例えば、第２遮蔽部を車体に対して固定した後でも、容易に排気管を取り付けることができる。
【発明の効果】
【００２４】
本願発明によれば、車両の周囲に伝わる騒音を、簡易な構成で、効果的に低減させることが可能である。
【図面の簡単な説明】
【００２５】
【図１】第１実施形態に係るヒートインシュレータの取付構造を示す（ａ）斜視図、及び（ｂ）断面図。
【図２】第１実施形態の変形例（１）を示す図。
【図３】第１実施形態の変形例（２）を示す図。
【図４】第２実施形態に係るヒートインシュレータの取付構造を示す断面図。
【図５】第２実施形態の変形例（１）を示す図。
【図６】第２実施形態の変形例（２）を示す図。
【図７】第２実施形態の変形例（３）を示す図。
【図８】第２実施形態の変形例（４）を示す図。
【図９】第２実施形態の変形例（５）を示す図。
【図１０】第２実施形態の変形例（６）を示す図。
【図１１】第２実施形態の変形例（７）を示す図。
【図１２】第２実施形態の変形例（８）を示す図。
【図１３】吸音効果を検証するための解析モデル（（ａ）比較モデル、及び（ｂ）実施モデル１）を示す図。
【図１４】図１３の解析モデルを用いた解析結果を示す図。
【図１５】吸音効果を検証するための解析モデル（実施モデル２）を示す図。
【図１６】図１５の解析モデルを用いた解析結果を示す図。
【図１７】吸音効果を検証するための解析モデル（実施モデル３）を示す図。
【図１８】図１７の解析モデルを用いた解析結果を示す図。
【発明を実施するための形態】
【００２６】
以下、本発明を実施するための形態について図面を参照しつつ説明する。
【００２７】
（第１実施形態）
図１（ａ）に、第１実施形態に係るヒートインシュレータの取付構造１を示す。図１（ｂ）は、図１（ａ）における排気管１２の軸方向と垂直な断面図（Ａ１−Ａ１断面図）である。
この取付構造１は、自動車の排気管１２にヒートインシュレータとしての遮蔽板１３を取り付けたものである。当該自動車は、その下部に、略水平に配置されて、車室と外部とを仕切る車体底板１０を備えている（図１（ａ）においては二点差線で端面のみ示す）。
この車体底板１０の下面１１（以下、車体下面１１）には、エンジンから排出される排気ガスを外部に導く排気管１２が取り付けられている。排気管１２は、円筒状に形成され、車体の前後方向にその軸方向が直線的に延びるように配置されている。尚、排気管１２は、車体下面１１に固定されて下方に延びるステー（図示せず）等によって支持されている。
【００２８】
図１（ｂ）に示すように、車体下面１１は、排気管１２の軸方向から見たときに、上方（車室側）に盛り上がるように屈曲している。そして、上方に盛り上がるように屈曲して形成された窪み部αに排気管１２が配置される。
ここで、窪み部αとは、車体下面１１において略水平に延びる面（以下、水平下面１１ａ）の高さよりも上方に位置するとともに、水平下面１１ａから屈曲して形成された面（以下、屈曲下面１１ｂ）で囲まれた空間を意味する。本実施形態において、水平下面１１ａは、車体下面１１における最も下方に位置している。そして、排気管１２の軸方向から見たときに、当該排気管１２の上半面が窪み部α内に位置するように、当該排気管１２が車体下面１１に対して固定されている。尚、排気管１２の全周が全て当該窪み部α内に位置するように、当該排気管１２が配置されていてもよい。
【００２９】
車体の屈曲下面１１ｂと排気管１２との間には、遮蔽板１３が配置されている。当該遮蔽板１３は、屈曲下面１１ｂと排気管１２とを仕切るように、車体の水平下面１１ａに固定されている。具体的には、遮蔽板１３は、１枚の金属板を、例えばロールフォーミング等により屈曲して形成されており、半円筒状の第１遮蔽部１３１と、第１遮蔽部１３１の円周方向の両端部から当該両端の接線方向に延びる平板状の一対の第２遮蔽部１３２と、第２遮蔽部１３２に連続して排気管１２と逆側の斜め上方に延びるとともに、その延出端部の近傍で屈曲して第２遮蔽部１３２から離れるように略水平方向に延び、車体の水平下面１１ａに固定される固定部１３３とを備えている。
【００３０】
第１遮蔽部１３１は、窪み部α内に配置されている。第２遮蔽部１３２は、窪み部α外に位置する。即ち、第２遮蔽部１３２は、遮蔽板１３における、車体の水平下面１１ａよりも下方に延出する延出部分である。
また、第２遮蔽部１３２の下端が、排気管１２の下端と同じ高さになるように、遮蔽板１３が取り付けられている。
固定部１３３は、遮蔽板１３における軸方向（第１遮蔽部１３１の円筒軸方向）に連続するように設けられ、当該軸方向の両端部近傍に、上下に貫通する取付孔１３３ａが形成されている。遮蔽板１３は、この取付孔１３３ａを用いてボルト等で、車体の水平下面１１ａに固定される。
【００３１】
尚、本実施形態では、第１遮蔽部１３１の円筒中心軸が、排気管１２の円筒中心軸と一致するように、遮蔽板１３が車体下面１１に取り付けられている。
【００３２】
◆第１実施形態の効果
第１実施形態のヒートインシュレータの取付構造１は、車体の水平下面１１ａよりも上方に上半面が位置するように配置された排気管１２と、車体の水平下面１１ａよりも上方において、排気管１２の上面を覆う第１遮蔽部１３１と、排気管１２の外周方向（図１（ｂ）における排気管１２の中心軸を中心とする円の円周方向）における第１遮蔽部１３１の両端から、車体の水平下面１１ａよりも下方に延びる一対の第２遮蔽部１３２とを備える。
【００３３】
この構成によると、第１遮蔽部１３１により、排気管１２から車体側への熱伝達を抑制することができる。
更に、車体下面１１よりも下方に延出する第２遮蔽部１３２により、排気管１２から発生する騒音が車体下面１１の下側の空間（車体下面１１と地面との間の空間）を通って、直接又は少ない反射回数で車体の幅方向外側に放出されることを抑制することができる。
これにより、車両の周囲に伝わる騒音を、簡易な構成で、効果的に低減させることが可能である。また、車両の側面のドアガラス面等から車内に伝わる騒音を低減することができる。
【００３４】
尚、本実施形態では、自動車の車体は、車体下面１１において上方に盛り上がるように形成された窪み部αを備えており、排気管１２は、当該窪み部α内に上半面が配置されている。そして、第１遮蔽部１３１は、窪み部αを形成する面である屈曲下面１１ｂと排気管１２との間に配置され、第２遮蔽部１３２は、排気管１２の外周方向における第１遮蔽部１３１の両端から、それぞれ窪み部αの下方に延びている。
【００３５】
この構成によると、屈曲下面１１ｂを介して排気管１２から車体底板１０に熱が伝達されることが抑制される。
【００３６】
また、第２遮蔽部１３２の下端が、排気管１２の下端と同じ高さに位置するように遮蔽板１３が取り付けられている。
【００３７】
この構成によると、第２遮蔽部１３２が過度に地面に近づくことを抑制され、車体の下方のスペースを十分に確保することができる。即ち、当該第２遮蔽部１３２を設けることで車高が過度に低くなってしまうことを防止できる。
【００３８】
（第１実施形態の変形例）
（１）
遮蔽板１３の固定部１３３は、第２遮蔽部１３２の下端に連続する場合に限らず、図２（ａ）における固定部１３３’で示すように、第１遮蔽部１３１と第２遮蔽部１３２との境界部から水平に延ばしてもよい。
また、図２（ａ）に示すように、固定部１３３’を、第１遮蔽部１３１の円筒中心軸と平行な方向に連続して設ける場合に限らず、当該軸方向において間欠的に設けてもよい。具体的には、例えば、図２（ｂ）に示すように、第１遮蔽部１３１の円筒中心軸と平行な方向における両端のみに固定部１３３’’を設けてもよい。尚、図１に示す固定部１３３においても同様に構成できる。
【００３９】
（２）
一対の第２遮蔽部１３２は、互いに平行に鉛直下方に延びる場合に限らず、図３（ａ）に一対の第２遮蔽部１３２’として示すように、下方に向かうほど、互いに対向する間隔を狭めるように、斜め下方に延ばしてもよい。
【００４０】
この構成によると、第２遮蔽部１３２’で反射する排気管１２からの騒音が第１遮蔽部１３１及び第２遮蔽部１３２’で囲まれた空間から漏れることを抑制できる。つまり、この第２遮蔽部１３２’により、遮蔽板１３の内面で排気管１２からの騒音が反射される回数を増やすことができ、吸音効果が大きくなる。
【００４１】
尚、図３（ａ）に示す変形例においては、排気管１２の軸方向から見たときに、一対の第２遮蔽部１３２’の下端の間隔は、排気管１２の外径と同じである。
【００４２】
この構成によると、遮蔽板１３を車体下面１１に取り付けた後に、当該一対の第２遮蔽部１３２’の下端の間を通過させて排気管１２を第１遮蔽部１３１及び第２遮蔽部１３２’で囲まれた空間に配置することができるため、排気管１２の固定作業が容易になる。
尚、鉛直下方から見たときに、第２遮蔽部１３２’が排気管１２と重ならないように構成されているので、排気管１２を鉛直方向に移動させて排気管１２の取り付け、及び取り外しが可能である。
また、排気管１２の周囲は、当該排気管１２の鉛直下方以外、全て遮蔽板１３で覆われているので、排気管１２から発生する騒音の漏れを最小限にとどめることが可能である。
【００４３】
ここで、水平下面１１ａに固定される固定部１３３は、図３（ａ）に固定部１３３''として示すように、第２遮蔽部１３２’の下端から延ばしてもよいし、図３（ｂ）に固定部１３３'''として示すように、第１遮蔽部１３１と第２遮蔽部１３２’との境界部から延ばしてもよい。
【００４４】
（第２実施形態）
図４に、第２実施形態のヒートインシュレータの取付構造２の断面図を示す。尚、図４は、図１（ｂ）に示す取付構造１の断面図に対応する図である。
第２実施形態の取付構造２は、第１実施形態の取付構造１の遮蔽板１３を遮蔽構造体１４に置き換えた構成である。その他の構成は、第１実施形態の取付構造１と同様であり、第１実施形態と同一部材には同一符号を付し説明を省略する。
【００４５】
遮蔽構造体１４は、排気管１２に対向する多孔板１４１と、当該多孔板１４１から見て排気管１２とは逆側に、当該多孔板１４１に対向するように配置される背面板１４２とを備えている。
【００４６】
多孔板１４１は、半円筒状に形成された円筒状部分と、当該円筒状部分の円周方向両端から互いに近づくように斜め下方に延びる一対の延出部分とを備えており、複数の貫通孔１４１ａが形成されている。当該複数の貫通孔１４１ａは、多孔板１４１の表面全体にわたって略均等に分散するように形成されている。
尚、当該貫通孔１４１ａは、微細な孔とすることが、吸音効果を向上させる上で望ましい。例えば、貫通孔１４１ａの径を、少なくとも多孔板１４１の厚さよりも小さくすることが望ましい。
【００４７】
背面板１４２は、多孔板１４１と略同様に、半円筒状に形成された円筒状部分と、当該円筒状部分の円周方向両端から互いに近づくように斜め下方に延びる一対の延出部分とを備えている。
そして、多孔板１４１と背面板１４２との間の空間Ｓ１が密閉されるように構成されている。
尚、ここでいう「密閉」とは多孔板１４１と背面板１４２との間の空間と外部とを連通する通路が多孔板１４１の貫通孔１４１ａ以外にないように、多孔板１４１と背面板１４２との間の空間が閉じられていることを意味する。
具体的には、多孔板１４１の延出部分の端縁部と背面板１４２の延出部分の端縁部とが略水平に配置される側板１４３で連結されることで、排気管１２の外周方向において多孔板１４１と背面板１４２との間の空間が閉塞される。また、排気管１２の軸方向における当該空間の両端も、側板等の仕切り部材により閉塞される。
【００４８】
この遮蔽構造体１４は、略水平に延びる固定部１４４を介して水平下面１１ａに固定されており、その下端が、排気管１２の下端と同じ高さになるように配置されるとともに、当該遮蔽構造体１４で排気管１２の鉛直下方を遮らないように配置されている。
【００４９】
◆第２実施形態の効果
以上説明したように、第２実施形態のヒートインシュレータの取付構造２において、遮蔽構造体１４は、排気管１２に対向する多孔板１４１を備えている。多孔板１４１において、貫通孔１４１ａは、当該多孔板１４１の半円筒状部分及び延出部分の両方に形成されている。
【００５０】
この構成によると、排気管１２に多孔板１４１が対向しているため、排気管１２から発生する騒音の吸収効果を高めることができる。
尚、当該多孔板１４１の半円筒状部分及び延出部分の両方に貫通孔１４１ａが形成されている場合に限らず、いずれか一方にのみ貫通孔１４１ａが形成されていてもよい。
【００５１】
また、多孔板１４１から見て排気管１２とは逆側に位置し、当該多孔板１４１の貫通孔１４１ａが開口する空間Ｓ１が密閉されている。
【００５２】
この構成によると、遮蔽構造体１４は、多孔板１４１とその背後の密閉された空気層（密閉空間Ｓ１）とからなるヘルムホルツ構造を構成するため、多孔板１４１の開口率や、背後空気層の厚さなどを調整することで、所望の周波数での吸音効果を高めることが可能になる。これにより、排気管１２から発生する騒音の周波数特性を考慮して、より効果的に吸音効果を発揮させることができる。
【００５３】
（第２実施形態の変形例）
（１）
排気管１２に対向する位置に配置された板材にのみ貫通孔を設ける場合に限らず、地面に対向する位置に配置された板材に貫通孔を設けてもよい。例えば、図５に示すように、多孔板１４１の延出部分（水平下面１１ａよりも下方に位置する部分）に貫通孔を形成せず、背面板１４２の延出部分、及び側板１４３に、貫通孔１４２ａ、１４３ａを形成してもよい。
【００５４】
即ち、当該変形例に係るヒートインシュレータの取付構造は、排気管１２に対向する内側板状部材（多孔板１４１）と、当該内側板状部材に対向するように当該内側板状部材から見て排気管１２とは逆側に配置された外側板状部材（背面板１４２）を備える。当該内側板状部材と当該外側板状部材との間の空間Ｓ１が密閉されており、多孔板１４１及び背面板１４２における車体の水平下面１１ａよりも下方に位置する延出部分は、円筒状部分の端部から、排気管１２に近づくように斜め下方に延出している。そして、多孔板１４１における円筒状部分に、複数の貫通孔１４１ａが形成されており、背面板１４２における延出部分と側板１４３に複数の貫通孔１４２ａ、１４３ａが形成されている。
【００５５】
この構成によると、内部に密閉空間Ｓ１を形成する遮蔽構造体１４における地面側に対向する板材（背面板１４２の延出部分及び側板１４３）に、密閉空間Ｓ１に開口する貫通孔１４２ａ、１４３ａが形成されている。そのため、排気管１２から放出されて地面で反射した音を、当該複数の貫通孔１４２ａ、１４３ａが形成された背面板１４２の延出部分と側板１４３とで受けることができる。これにより、より効果的に排気管１２からの騒音を吸収することができる。また、床下で増幅するロードノイズなどの音に対しても、吸音効果を発揮することができる。
【００５６】
（２）
多孔板１４１と背面板１４２とで挟まれた空気層を吸音に利用する場合に限らず、図６（ａ）に示すように、排気管１２の周りに設けられた多孔板１４１’と車体の屈曲下面１１ｂとの間の空気層Ｓ２を利用して吸音する構成であってもよい。
この図６（ａ）に示す構成は、図１に示す遮蔽板１３における第１遮蔽部１３１及び第２遮蔽部１３２に複数の貫通孔を設け、排気管１２の軸方向における空気層Ｓ２の両端を閉塞した構成と等しい構成である。即ち、車体下面１１は、上方に盛り上がって窪み部αを形成する屈曲下面１１ｂを備えており、排気管１２は、当該窪み部α（図１参照）内に上半面が配置されている。そして、多孔板１４１’は、屈曲下面１１ｂと排気管１２との間に配置される円弧状部分（第１遮蔽部）と、当該部分の両端から、それぞれ窪み部α（図１参照）の下方に延びる延出部分（第２遮蔽部）とを有している。この屈曲下面１１ｂと多孔板１４１’との間の空間Ｓ２は密閉されている。
【００５７】
また、図６（ｂ）に示すように、多孔板１４１’において水平下面１１ａよりも下方に延出する一対の延出部分を、下方に向かうほど互いに近づくように形成してもよい。尚、当該多孔板１４１’の下端が、排気管１２の下端と同じ高さになるとともに、当該多孔板１４１’で排気管１２の鉛直下方を遮らないように構成されている。
【００５８】
これらの、図６（ａ）及び図６（ｂ）に示す構成によると、多孔板１４１’と屈曲下面１１ｂとの間の空間全体を有効に活用することができ、ヒートインシュレータの取付構造をよりコンパクトに形成することができる。また、図４に示す構成に比べて、背面板１４２が不要であるため、製造コストを低減できる。
【００５９】
（３）
図７に示すように、遮蔽構造体１４における背面板１４２に複数の貫通孔１４２ａを形成するとともに、背面板１４２と屈曲下面１１ｂとの間の空間Ｓ４を密閉した構成とすることもできる。
【００６０】
この構成によると、多孔板１４１と屈曲下面１１ｂとの間の空間が、多孔板としての背面板１４２により複数（２つ）の空気層（Ｓ３、Ｓ４）に分割される。これにより、当該多孔板１４１の貫通孔１４１ａと背面板１４２の貫通孔１４２ａとを利用して吸音することができるため、より広い周波数帯域で高い吸音効果を発揮することができる。
【００６１】
（４）
図８に、変形例に係る取付構造における排気管１２の中心軸を通る鉛直断面を示すように、背面板１４２を、例えば、プレス加工により屈曲させて、排気管１２の軸方向において、多孔板１４１の背面側の空気層が複数の密閉空間Ｓ５、Ｓ６に分割されるように構成してもよい。
図８に示す構成では、排気管１２の軸方向において、密閉空間Ｓ５と密閉空間Ｓ６とが交互に並べられる。密閉空間Ｓ５と密閉空間Ｓ６とは、それぞれ、多孔板１４１から背面板１４２（屈曲して形成された底面）までの間隔（排気管１２の径方向における間隔）が異なっている。つまり、密閉空間Ｓ５と密閉空間Ｓ６とは、多孔板１４１に直交する方向における幅（密閉空間内の空気層の厚さ）が、互いに異なっている。
尚、この変形例では密閉空間Ｓ５と密閉空間Ｓ６とは、容積も異なっている。
【００６２】
この構成によると、異なる２つの周波数の騒音に対して特に高い吸音効果を発揮することができ、より広い周波数帯域で高い吸音効果を発揮することができる。
【００６３】
（５）
図９に示すように、背面板１４２を、例えば、プレス加工により屈曲させて、排気管１２の軸方向において、多孔板１４１の背面側の空気層が複数の密閉空間Ｓ７に分割されるように構成してもよい。
この図９に示す構成では、排気管１２の軸方向において、密閉空間Ｓ７が等間隔で複数並べられている。これらの密閉空間Ｓ７は、それぞれ、多孔板１４１に直交する方向における幅（密閉空間内の空気層の厚さ）、及び容積が同じである。そして、多孔板１４１において各密閉空間Ｓ７に開口するの貫通孔１４１ａの数が、排気管１２の軸方向において変化している。つまり、複数の貫通孔１４１ａは、多孔板１４１の全体にわたって均等に分散しておらず、排気管１２の軸方向に並ぶ複数の領域（Ｔ１及びＴ２）毎に、開口率が異なるように、多孔板１４１に形成されている。尚、多孔板の所定の領域における開口率とは、多孔板における当該所定の領域内に存在する全ての開口の面積を積算した総面積を、当該所定の領域の面積で割った値である。
【００６４】
この構成によると、多孔板１４１の開口率が、排気管１２の軸方向において一定ではないため、当該軸方向における開口率に対応した特定の周波数の騒音に対して特に高い吸音効果を発揮することができ、より広い周波数帯域で高い吸音効果を発揮することができる。
尚、排気管１２の軸方向に並ぶ複数の領域（Ｔ１及びＴ２）毎に、多孔板１４１を貫通する貫通孔１４１ａの径が異なるように構成してもよい。
【００６５】
（６）
図１０に示すように、背面板１４２と多孔板１４１とを、例えば、プレス加工により屈曲させて、排気管１２の軸方向において、複数の密閉空間Ｓ８、Ｓ９が形成されるように構成してもよい。
尚、図１０に示す構成では、排気管１２の軸方向において、容積及び形状が異なる密閉空間Ｓ８と密閉空間Ｓ９とが交互に並べられる。
【００６６】
ここで、凹部をプレス加工によって形成する場合、凹部の深さを所定の深さ以上にすることができない場合もある。例えば、複数の凹部を形成する間隔が決められている場合において、先細り形状のパンチで凹部をプレス加工する場合などである。つまり、例えば、板材の基準面に対して４５°の傾斜面を形成するように当該板材をプレス加工して凹部を形成する場合は、凹部の深さ（基準面からの深さ）は最大でも凹部の幅（基準面と平行な方向における幅）の１／２である。
しかしながら、多孔板１４１と背面板１４２との両方にプレス加工で凹部を形成することで、一方のみをプレス加工する場合に比べて、空気層の厚さを２倍にすることができる。
即ち、多孔板１４１を排気管１２側に突出させることで、密閉空間Ｓ８及び密閉空間Ｓ９の奥行き（排気管１２の径方向における奥行き）をより深くすることができ、当該密閉空間の容積及び多孔板１４１に直交する方向における幅を増加させることができる。
【００６７】
（７）
背面板１４２を用いずに多孔板１４１’と屈曲下面１１ｂとの間を空間を利用する構成（図６に示す構成）において、図１１に示すように、排気管１２の軸方向において多孔板１４１’を屈曲させて、多孔板１４１’と車体の屈曲下面１１ｂとの間に、排気管１２の軸方向において複数の密閉空間Ｓ１０、Ｓ１１を形成してもよい。尚、当該軸方向において隣接する密閉空間Ｓ１０、Ｓ１１の厚さ（多孔板１４１’における排気管１２に対向する面に直交する方向における幅）が互いに異なるように形成されている。
【００６８】
この構成によると、多孔板１４１’と屈曲下面１１ｂとの間の空間全体を有効に活用することができ、ヒートインシュレータの取付構造をよりコンパクトに形成することができる。また、背面板１４２が不要であるため、製造コストを低減できる。更に、異なる周波数の騒音に対して特に高い吸音効果を発揮することができ、より広い周波数帯域で高い吸音効果を発揮することができる。
【００６９】
（８）
背面板１４２を用いずに多孔板１４１’と屈曲下面１１ｂとの間を空間を利用する構成（図６に示す構成）において、図１２（ａ）に示すように、排気管１２の軸方向から見て多孔板１４１’が屈曲するように構成し、多孔板１４１’と車体の屈曲下面１１ｂとの間に、排気管１２の周方向において複数の密閉空間を形成してもよい。尚、図１２（ａ）に示す構成では、隣接する密閉空間の厚さ及び容積が互いに異なっている。この多孔板１４１’は、排気管１２の軸と平行に、同形状で延びており、このような形状の多孔板１４１’は、例えば、ロールフォーミングにより形成することができる。この場合、製造コストが安価である。
当該排気管１２の軸方向における多孔板１４１’の両端は、例えば、プレス加工により、屈曲下面１１ｂに密着するように変形されている。これにより、多孔板と屈曲下面１１ｂとの間の空間の両端が閉じられている。
【００７０】
また、図１２（ｂ）に、図１２（ａ）におけるＡ２−Ａ２断面に相当する断面を示すように、排気管１２の軸方向において、多孔板１４１’と屈曲下面１１ｂとの間の空間を仕切る隔壁１４５を、所定の間隔で設けてもよい。尚、図１１に示す構成と同様に、プレス加工により多孔板１４１’を屈曲させることで隔壁を形成してもよい。このように隔壁を形成することで、吸音構造の強度を向上させることができる。
【００７１】
（吸音効果の解析）
以下、本発明の実施形態に係るヒートインシュレータの取付構造の吸音効果をコンピュータシミュレーションにより検証した結果を示す。
◆解析１
図１３に、解析モデルを示す。
図１３（ａ）に示すように、比較例に係る解析モデル（以下、比較モデルという）は、車両における一対の側壁部２１と、当該一対の側壁部２１の下端からそれぞれ、地面Ｇと平行に、車両幅方向中央に向かって延びる底部２２と、当該底部２２に連続し、車両幅方向中央部において上方に盛り上がるように設けられた半円弧状の遮蔽部２３とを備えている。比較例に係る遮蔽部２３は、その円弧の両端部が、底部２２の下面と同じ高さになるように配置されている。
また、排気管に相当する音源２４が、遮蔽部２３の円弧中心上に配置されている。
【００７２】
図１３（ｂ）に示すように、本発明の実施形態に係る解析モデル（以下、実施モデル１という）は、遮蔽部３３以外は、比較モデルと同様である。当該実施モデル１における遮蔽部３３は、比較モデルにおける遮蔽部２３の円弧の両端を、底部２２の下面と垂直に地面Ｇに向かって所定量延ばしたものである。即ち、実施モデル１は、比較モデルに延出部３３ａを追加した構成である。尚、遮蔽部３３における一対の延出端を結んだ直線上に、音源２４の下端が位置するように当該遮蔽部３３が設けられている。
【００７３】
上記比較モデル及び実施モデル１で、それぞれ、音源２４から所定の騒音を発生させ、そのときに、側壁部２１の下方の領域Ｘ（評価領域Ｘ）に作用した音波の、相対音圧レベルを算出した。
比較モデル及び実施モデル１での解析において、評価領域Ｘに作用した音波の、相対音圧レベルと周波数（１０００Ｈｚ〜４０００Ｈｚ）との関係を図１４に示す。
【００７４】
図１４に示すように、実施モデル１では、１０００Ｈｚ〜２０００Ｈｚの周波数帯域において、相対音圧レベルが、比較モデルに比べて減少していることが分かる。
これにより、遮蔽部３３を車両下面よりも地面Ｇ側に延出させることで、吸音効果が向上することが分かる。
【００７５】
◆解析２
図１５に解析モデルを示す。
図１５に示す解析モデルは、本発明の実施形態に係る解析モデル（以下、実施モデル２という）である。この実施モデル２における遮蔽部４３は、上記解析１で用いた実施モデル１における遮蔽部３３の延出端に連続して車幅方向中央に車両下面と平行に延びる延出部４３ａを設けたものである。尚、延出部４３ａは、その延出端が、車両幅方向において音源２４の両端と同位置となるように設けられている。
【００７６】
上記実施モデル２で、上記解析１と同様に、音源２４から所定の騒音を発生させ、評価領域Ｘに作用する音波の相対音圧レベルを算出した。
実施モデル２での解析において、評価領域Ｘに作用した相対音圧レベルと、周波数（１０００Ｈｚ〜４０００Ｈｚ）との関係を図１６に示す。尚、上記解析１の解析結果（比較モデル及び実施モデル１の結果）も併せて示す。
【００７７】
図１６に示すように、実施モデル２では、１０００Ｈｚ〜１６００Ｈｚの周波数帯域において、相対音圧レベルが、実施モデル１に比べて減少していることが分かる。
これにより、当該遮蔽部４３が、車両下面よりも下方に延出した端部から屈曲して音源２４に近づくように延びる延出部４３ａを備えることで、吸音効果が更に向上することが分かる。
【００７８】
◆解析３
図１７に解析モデルを示す。
図１７に示す解析モデルは、本発明の実施形態に係る解析モデル（以下、実施モデル３という）である。この実施モデル３における遮蔽部５３は、多孔板５３１と、その背後の密閉空気層Ｓと、を備える吸音構造体である。この実施モデル３は、図６に示す実施形態にほぼ対応したモデルである。
当該遮蔽部５３は、音源２４を挟んだ車両幅方向両側において車両下面よりも下方に延出するように設けられている。尚、当該遮蔽部５３の一対の延出端を結んだ直線上に、音源２４の下端が位置する。
【００７９】
上記実施モデル３で、上記解析１と同様に、音源２４から所定の騒音を発生させ、評価領域Ｘに作用する音波の相対音圧レベルを算出した。
実施モデル３での解析において、評価領域Ｘに作用した相対音圧レベルと、周波数（１０００Ｈｚ〜４０００Ｈｚ）との関係を図１８に示す。尚、上記解析１の解析結果（比較モデル及び実施モデル１の結果）も併せて示す。
【００８０】
図１８に示すように、実施モデル３では、１０００Ｈｚ〜１２５０Ｈｚの周波数帯域において、相対音圧レベルが、実施モデル１に比べて減少していることが分かる。
これにより、遮蔽部５３を、多孔板５３１と、その背後の密閉空気層Ｓとを備える吸音構造体とすることで、吸音効果が更に向上することが分かる。
【００８１】
以上、本発明の実施形態について説明したが、本発明は上述の実施の形態に限られるものではなく、特許請求の範囲に記載した限りにおいて様々に変更して実施することができるものである。
【００８２】
例えば、車体底板１０が屈曲下面１１ｂを有する場合に限らず、当該屈曲下面１１ｂに相当する位置において車体底板１０が開口している場合でも、本発明を適用することができる。
【産業上の利用可能性】
【００８３】
本発明は、排気管からの熱が車体に伝達することを抑制するヒートインシュレータを車体に取り付ける場合に利用することができる。
【符号の説明】
【００８４】
１、２  ヒートインシュレータの取付構造
１１  車体下面
１１ａ  水平下面
１１ｂ  屈曲下面
１２  排気管
１３  遮蔽板
１３１  第１遮蔽部
１３２  第２遮蔽部
１４  遮蔽構造体
１４１  多孔板（内側板状部材、第１遮蔽部及び第２遮蔽部）
１４２  背面板（外側板状部材、第１遮蔽部及び第２遮蔽部）
【図１】
2010264893.tif 000003
【図２】
2010264893.tif 000004
【図３】
2010264893.tif 000005
【図４】
2010264893.tif 000006
【図５】
2010264893.tif 000007
【図６】
2010264893.tif 000008
【図７】
2010264893.tif 000009
【図８】
2010264893.tif 000010
【図９】
2010264893.tif 000011
【図１０】
2010264893.tif 000012
【図１１】
2010264893.tif 000013
【図１２】
2010264893.tif 000014
【図１３】
2010264893.tif 000015
【図１４】
2010264893.tif 000016
【図１５】
2010264893.tif 000017
【図１６】
2010264893.tif 000018
【図１７】
2010264893.tif 000019
【図１８】
2010264893.tif 000020